(57)【特許請求の範囲】
【請求項１】
空気調和機の室内機における水平フラップの長手方向中間部を支持する水平フラップの中間支持構造であって、
水平フラップ(２３)の長手方向中間部に設けられた回転軸(２５)と、
上記室内機の吹出口の上壁(１１a)と下壁(１２a)とに両端が固定された中間支持材(１３)と、
線ばねで形成されると共に、一端には、上記水平フラップ(２３)の回転軸(２５)を支持する軸支持用リング(１９)が形成される一方、他端には、上記中間支持材(１３)に取り付けるための取付部が形成された支持部材(１８)
を備え、
上記中間支持材(１３)は板状に形成されており、
上記支持部材(１８)の取付部は、この支持部材(１８)の本体部(２２)に対して上記支持部材(１８)の上記他端側を折り曲げて構成されると共に、折り曲げられた上記他端側からなる折曲部(２０)と上記本体部(２２)との間隔が上記中間支持材(１３)の厚みと略同一に成っている
ことを特徴とする水平フラップの中間支持構造。
【請求項２】
請求項１に記載の水平フラップの中間支持構造において、
上記支持部材(１８)における上記折曲部(２２)の先端(２１)は上記他端側に曲げ返されている
ことを特徴とする水平フラップの中間支持構造。
【請求項３】
請求項１に記載の水平フラップの中間支持構造において、
上記中間支持材(１３)は、その中間支持材(１３)の両面の各々には空気の流線に沿って互いに平行に延在する２本の突起部(１４,１５)が設けられており、
上記支持部材(１８)は、上記取付部における上記折曲部(２０)と上記本体部(２２)とを上記中間支持材(１３)の両面の各々に設けられた互いに平行な上記２本の突起部(１４,１５)の間に夫々挿入して挟み込むことによって、上記中間支持材(１３)に取付固定されている
ことを特徴とする水平フラップの中間支持構造。
【発明の詳細な説明】
【０００１】
【発明の属する技術分野】
この発明は、空気調和機の室内機における水平フラップの中間支持構造に関する。
【０００２】
【従来の技術】
空気調和機の室内機には、室内ファンからの空気流の吹き出し方向を制御するための水平フラップが設けられている。
ここで、暖房時には暖かく軽い空気が室内の天井に集まりやすく、冷房時には冷たく重い空気が室内の床に集まりやすい。したがって、上記室内ファンからの気流方向は、暖房時には床に向けた下向きが望ましく、冷房時には天井に沿った上向きが望ましい。つまり、上記水平フラップには大きな可動範囲が望まれるのである。
【０００３】
また、上記水平フラップは、室内機の大略全幅に渡って配設されているために長尺であり、通常は中間に支持点を設けている。
図３は、従来の水平フラップの中間支持構造の一例を示す断面図である。室内機における水平方向中間部には、ドレンパン１の下面１aと吹出口の下壁２の上面２aとの間に板状の中間支持材３を設けている。そして、この中間支持材３の上下方向中間部から前方に向かって支持アーム４を突出させ、この支持アーム４の先端部４aに水平フラップ５の幅方向中間部に設けられたヒンジ部６を回動自在に取り付けている。
【０００４】
【発明が解決しようとする課題】
しかしながら、上記従来の水平フラップの中間支持構造には、以下のような問題がある。
すなわち、暖房時には、上記水平フラップ５が支持アーム４の上側になるような位置(イ)に位置させて下向きに空気を吹き出すのであるが、その場合の水平フラップ５の向きの上限が一縁５aが支持アーム４に当接する位置で規制される。一方、冷房時には、上記水平フラップ５が支持アーム４の下側になるような位置(ロ)に位置させて上向きに空気を吹き出すのであるが、その場合の水平フラップ５の向きの下限が他縁５bが支持アーム４に当接する位置で規制される。
こうして、上記支持アーム４の存在によって、水平フラップ５の可動範囲が制約を受けるという問題がある。
【０００５】
そこで、この発明の目的は、水平フラップの可動範囲を大きくできる水平フラップの中間支持構造を提供することにある。
【０００６】
【課題を解決するための手段】
上記目的を達成するため、請求項１に係る発明は、
空気調和機の室内機における水平フラップの長手方向中間部を支持する水平フラップの中間支持構造であって、
水平フラップの長手方向中間部に設けられた回転軸と、
上記室内機の吹出口の上壁と下壁とに両端が固定された中間支持材と、
線ばねで形成されると共に、一端には、上記水平フラップの回転軸を支持する軸支持用リングが形成される一方、他端には、上記中間支持材に取り付けるための取付部が形成された支持部材
を備え、
上記中間支持材は板状に形成されており、
上記支持部材の取付部は、この支持部材の本体部に対して上記支持部材の上記他端側を折り曲げて構成されると共に、折り曲げられた上記他端側からなる折曲部と上記本体部との間隔が上記中間支持材の厚みと略同一に成っている
ことを特徴としている。
【０００７】
上記構成によれば、水平フラップを支持する支持部材を線ばねで形成しているので、プラスチックの板等で中間支持材と一体に形成する場合よりも垂直方向への厚みが薄く形成されている。その結果、上記水平フラップの縁が上記支持部材に当接することによる上記水平フラップの可動範囲の制約が、上記支持部材をプラスチックの板等で上記中間支持材と一体に形成した場合よりも小さくなる。つまり、上記水平フラップの回動範囲が大きくなるのである。
【０００８】
さらに、支持部材は、上記他端側を中間支持材の厚みと略同一の間隔を有して折り曲げられて成る折曲部と本体部とで板状の上記中間支持材の両面を挟むという簡単な動作によって、上記中間支持材に確実に取り付けられる。
【０００９】
また、請求項２に係る発明は、
請求項１に係る発明の水平フラップの中間支持構造において、
上記支持部材における上記折曲部の先端は上記他端側に曲げ返されている
ことを特徴としている。
【００１０】
上記構成によれば、支持部材における折曲部と本体部との間に板状の中間支持材の縁を挿入する際に、上記折曲部の先端は上記他端側に曲げ返されているので引っ掛かりなくスムーズに挿入される。さらに、両折り曲げ箇所で上記中間支持材の両縁を挟んで確実に固定される。
【００１１】
また、請求項３に係る発明は、
請求項１に記載の水平フラップの中間支持構造において、
上記中間支持材は、その中間支持材の両面の各々には空気の流線に沿って互いに平行に延在する２本の突起部が設けられており、
上記支持部材は、上記取付部における上記折曲部と上記本体部とを上記中間支持材の両面の各々に設けられた互いに平行な上記２本の突起部の間に夫々挿入して挟み込むことによって、上記中間支持材に取付固定されている
ことを特徴としている。
【００１２】
上記構成によれば、上記支持部材を構成する線ばねの弾性力によって、上記支持部材を上記中間支持材に固定すると共に、上記水平フラップを支持するのに必要な剛性を得ることができる。
【００１３】
【発明の実施の形態】
以下、この発明を図示の実施の形態により詳細に説明する。
図１は、本実施の形態の水平フラップの中間支持構造が適用された室内機の吹出口近傍の断面図である。
【００１４】
室内機における吹出口の上壁となるドレンパン１１の下面１１aと吹出口の下壁１２の上面１２aとに板状の中間支持材１３の上下両端を固定して、中間支持材１３を垂直方向に配設する。そして、この中間支持材１３の両面における上下方向中間部には、空気の流線に沿って平行に延在する２本の突起部(図１では、中間支持材１３の片面に設けられた２本の突起部１４,１５のみが見えている)を設ける。中間支持材１３の各面の夫々に設けられた２本の突起部１４,１５の間には線ばねで形成された支持部材１８の一端部１８aを挿通して、支持部材１８を空気の流線に沿って前方に向かって延在させて取り付ける。
【００１５】
上記支持部材１８の他端部１８bは、水平フラップ２３のヒンジ部２４に設けられた回転軸２５の外径に略等しい内径を有するリング１９を形成するように曲げられている。この他端部１８bに形成されたリング１９の中には水平フラップ２３の回転軸２５が挿入されて、水平フラップ２３の回動中心が吹出口における所定位置に保持されるのである。
【００１６】
上述のように、本実施の形態においては、上記中間支持材１３から前方に延在して水平フラップ２３を支持する支持部材１８を線ばねで形成しているので、図３に示すようなプラスチックの板等で中間支持材３と一体に形成された支持アーム４よりも垂直方向への厚みを薄く形成できる。
【００１７】
したがって、暖房時に、上記水平フラップ２３が支持部材１８の上側になるような位置(ハ)に位置させて下向きに空気を吹き出す場合に、水平フラップ２３の一縁２３aが支持部材１８に当接する位置が二点鎖線で示す従来の水平フラップの中間支持構造での当接位置よりも下側になり、水平フラップ２３の向きの上限を従来の水平フラップの中間支持構造での上限よりも上向きにできる。一方、冷房時に、水平フラップ２３が支持部材１８の下側になるような位置(ニ)に位置させて上向きに空気を吹き出す場合に、水平フラップ２３の他縁２３bが支持部材１８に当接する位置が二点鎖線で示す従来の水平フラップの中間支持構造での当接位置よりも上側になり、水平フラップ２３の向きの下限を従来の水平フラップの中間支持構造での下限よりも下向きにできる。
こうして、上記水平フラップ２３の可動範囲の制約を、図３に示す従来の水平フラップの中間支持構造よりも小さくするのである。
【００１８】
上記支持部材１８の詳細な構造は図２に示すようになっている。
すなわち、上記一端部１８aは他端部１８b側に折り曲げられており、折曲部２０と直線状の本体部２２とは、中間支持材１３の厚みと略同一の間隔を有して平行になっている。そして、折曲部２０の先端２１は、更に内側に折り曲げられて鉤状を呈している(図２(b)参照)。その場合の両折り曲げ箇所の間隔は、中間支持材１３における突起部１４,１５の延在方向への幅と略同一になっている。こうして、支持部材１８の上記一端部１８aには、中間支持材１３の厚みと略同一の間隔と中間支持材１３の幅と略同一の長さを有する偏平な輪が形成されるのである。
【００１９】
一端部１８aが上述のような構成を有している支持部材１８は、次のようにして中間支持材１３の突起部１４,１５の間に装着される。
すなわち、上記支持部材１８の折曲部２０の先端２１と本体部２２との間を、両突起部１４,１５の間の延長線上における中間支持材１３の縁１３aに当接させて、支持部材１８を矢印(ヘ)側に引く。そうすると、折曲部２０の先端２１と本体部２２との間が開いて中間支持材１３が挿入され、折曲部２０と本体部２２とが中間支持材１３の両面上を矢印(ヘ)の方に移動する。そして、本体部２２が両突起部１４,１５の間に挿入される一方、折曲部２０が両突起部１４,１５の裏面に設けられた両突起部の間に挿入される。こうして、折曲部２０の先端２１が中間支持材１３を脱出すると、支持部材１８は線ばねで構成されているために、ばねの弾性力によって先端２１が元の位置に戻る。
【００２０】
その結果、上記支持部材１８の一端部１８aに形成された中間支持材１３の厚みと略同一の間隔と中間支持材１３の幅と略同一の長さを有する輪の中に中間支持材１３が収まり、折曲部２０と本体部２２との弾性力によって中間支持材１３が挟まれる一方、中間支持材１３の両面に設けられた突起部１４,１５によって折曲部２０と本体部２２とが挟まれる。こうして、支持部材１８がその弾性力によって中間支持材１３に固定されるのである。
【００２１】
上述のように、本実施の形態においては、上記水平フラップ２３の長手方向中間に設けられたヒンジ部２４の回転軸２５を、線ばねで形成されて中間支持材１３に取り付けられた支持部材１８の上記他端部１８bに設けられたリング１９で支持するようにしている。したがって、プラスチック等で中間支持材と一体に形成された従来の水平フラップ支持用の支持アームよりも垂直方向への厚みを薄く形成でき、その分だけ水平フラップ２３の可動範囲の制約を小さくできる。
すなわち、本実施の形態よれば、上記水平フラップ２３の可動範囲をより大きくできるのである。
【００２２】
また、上記支持部材１８の取付部は上記一端部１８aを折り曲げて形成され、中間支持材１３の厚みと略同一の間隔と中間支持材１３の幅と略同一の長さを有する偏平な輪を成している。そして、この輪の両側に位置する折曲部２０と本体部２２とを中間支持材１３の両面に設けられた平行した両突起部１４,１５の間に挟み込んで固定するようにしている。したがって、支持部材１８を構成する線ばねの弾性力によって支持部材１８を中間支持材１３に固定すると共に、水平フラップ２３を支持するのに必要な剛性を得ることができる。
【００２３】
また、上記支持部材１８の折曲部２０の先端２１は内側に折り曲げられて鉤状を呈して後方を向いてるので、折曲部２０と本体部２２との間に中間支持材１３を挿入する際に、先端２１が中間支持材１３に引っ掛かることがない。また、先端２１が中間支持材１３を脱出した際には、折曲部２０の先端部２１が中間支持材１３の縁に引っ掛かって外れることがない。
【００２４】
【発明の効果】
以上より明らかなように、請求項１に係る発明の水平フラップの中間支持構造は、一端には水平フラップの回転軸を支持する軸支持用リングが形成され、他端には室内機の吹出口の上壁と下壁とに両端が固定された中間支持材に取り付けるための取付部が形成された支持部材を線ばねで形成したので、上記支持部材を、プラスチックの板等で中間支持材と一体に形成する場合よりも垂直方向への厚みを薄く形成できる。
したがって、上記水平フラップの縁が上記支持部材に当接することによる上記水平フラップの可動範囲の制約を小さくでき、上記水平フラップの回動範囲が大きくなる。
【００２５】
さらに、上記中間支持材を板状に形成し、上記支持部材の取付部を、この支持部材の上記他端側を上記中間支持材の厚みと略同一の間隔を有するように折り曲げて構成したので、折曲部と本体部とで上記板状の中間支持材の両面を挟むことによって、上記支持部材を中間支持材に簡単に確実に取り付けることができる。
【００２６】
また、請求項２に係る発明の水平フラップの中間支持構造は、上記支持部材における折曲部の先端を上記他端側に曲げ返しているので、上記折曲部と本体部との間に板状の中間支持材の縁を挿入する場合に引っ掛かりなくスムーズに挿入できる。さらに、両折り曲げ箇所で中間支持材の両縁を挟むことによって上記支持部材を確実に固定できる。
【００２７】
また、請求項３に係る発明の水平フラップの中間支持構造は、上記支持部材は、上記取付部における上記折曲部と上記本体部とを、上記中間支持材の両面の各々に設けられた互いに平行な上記２本の突起部の間に夫々挿入して挟み込むことによって、上記中間支持材に取付固定するので、上記支持部材を構成する線ばねの弾性力によって、上記支持部材を上記中間支持材に固定すると共に、上記水平フラップを支持するのに必要な剛性を得ることができる。
【図面の簡単な説明】
【図１】  この発明の水平フラップの中間支持構造が適用された室内機の吹出口近傍の断面図である。
【図２】  図１における支持部材の取り付け構造を示す図である。
【図３】  従来の水平フラップの中間支持構造の一例を示す断面図である。
【符号の説明】
１３…中間支持材、                １４,１５…突起部、
１８…支持部材、                  １９…リング、
２０…折曲部、                    ２１…折曲部先端、
２２…本体部、                    ２３…水平フラップ、
２４…ヒンジ部、                  ２５…回転軸。
【図１】
0003796859.tif 000002
【図２】
0003796859.tif 000003
【図３】
0003796859.tif 000004